(57)【要約】【課題】ＣＤ、ＤＶＤ等の記録ディスクを収容する記録ディスクホルダにおいて、記録ディスクの記録面の光による劣化を防止する。【解決手段】記録ディスク５を出し入れするための開口部４を有する、記録ディスク５を両面から挟持するようにして収容する収容部２と、開口部４を覆うための蓋部３とを備え、少なくとも収容部２が遮光材料からなるように記録ディスクホルダ１を構成する。【選択図】図１
2007297072.tif 000002
【特許請求の範囲】
【請求項１】
記録ディスクを収容する記録ディスクホルダにおいて、
前記記録ディスクを出し入れするための開口部を有する、前記記録ディスクを両面から挟持するようにして収容する収容部を備え、該収容部が遮光材料からなることを特徴とする記録ディスクホルダ。
【請求項２】
前記収容部の内側の少なくとも一方の面に、前記記録ディスクの記録面を保護するための不織布シートが積層されてなることを特徴とする請求項１記載の記録ディスクホルダ。
【請求項３】
前記遮光材料が、２枚の不織布シートの間に遮光性を有するシート材料が積層されてなることを特徴とする請求項１または２記載の記録ディスクホルダ。
【請求項４】
前記開口部を開閉する蓋部をさらに備えたことを特徴とする記録ディスクホルダ。
【請求項５】
複数の画像を所定のレイアウトにより配置したインデックスプリントを複数収容可能なプリント収容部および前記複数の画像を記録した記録ディスクを収容する記録ディスク収容部が綴じられてなるアルバム冊子において、
前記記録ディスク収容部が、請求項１から４のいずれか１項記載の記録ディスクホルダからなることを特徴とするアルバム冊子。
【発明の詳細な説明】
【技術分野】
【０００１】
本発明は、ＣＤおよびＤＶＤ等の記録ディスクを収納するための記録ディスクホルダに関するものである。
【背景技術】
【０００２】
従来、記録ディスクを収容するための記録ディスクホルダとして、例えば特許文献１に記載されているように、合成樹脂フィルムからなるポケットの内部に不織布からなる袋を収納したものが知られている。このように、不織布を使用することにより、記録ディスクの記録面に傷が付くことを防止することができる。
【特許文献１】登録実用新案第３０１４７３５号公報
【発明の開示】
【発明が解決しようとする課題】
【０００３】
しかしながら、記録ディスクの記録面は紫外線等の光に長時間晒されると劣化してしまう。上記特許文献１に記載された記録ディスクホルダに使用されている不織布は光を透過するため、記録ディスクの記録面が光の影響により劣化し、その結果、記録ディスクに記録された情報を読み取ることができなくなってしまうおそれがある。
【０００４】
本発明は、上記事情に鑑みなされたものであり、記録ディスクの記録面の光による劣化を防止することを目的とする。
【課題を解決するための手段】
【０００５】
本発明による記録ディスクホルダは、記録ディスクを収容する記録ディスクホルダにおいて、
前記記録ディスクを出し入れするための開口部を有する、前記記録ディスクを両面から挟持するようにして収容する収容部を備え、該収容部が遮光材料からなることを特徴とするものである。
【０００６】
なお、本発明による記録ディスクホルダにおいては、前記収容部の内側の少なくとも一方の面に、前記記録ディスクの記録面を保護するための不織布シートを積層してもよい。
【０００７】
また、本発明による記録ディスクホルダにおいては、前記遮光材料を、２枚の不織布シートの間に遮光性を有するシート材料を積層することにより構成してもよい。
【０００８】
「積層」とは、遮光材料と不織布シートと、あるいはシート材料と不織布シートとが重ね合わせっている状態を意味し、遮光材料またはシート材料と不織布シートとが密着している必要はないものである。
【０００９】
また、本発明による記録ディスクホルダにおいては、前記開口部を開閉する蓋部をさらに備えるようにしてもよい。
【００１０】
なお、蓋部は遮光材料からなるものである必要はないが、遮光材料からなることが好ましい。
【００１１】
本発明によるアルバム冊子は、複数の画像を所定のレイアウトにより配置したインデックスプリントを複数収容可能なプリント収容部および前記複数の画像を記録した記録ディスクを収容する記録ディスク収容部が綴じられてなるアルバム冊子において、
前記記録ディスク収容部が、本発明による記録ディスクホルダからなることを特徴とするものである。
【発明の効果】
【００１２】
本発明によれば、記録ディスクホルダにおける収容部が遮光材料からなるため、記録ディスクホルダに収容された記録ディスクには光が照射されないこととなり、その結果、記録ディスクの記録面の光による劣化を防止することができる。
【００１３】
また、収容部の内側の少なくとも一方の面に、記録ディスクの記録面を保護するための不織布シートを積層することにより、収容部に収容された記録ディスクの記録面に傷が付いてしまうことを防止できる。
【００１４】
また、遮光材料を、２枚の不織布シートの間に遮光性を有するシート材料を積層してなるものとすることにより、収容部に収容された記録ディスクの記録面に傷が付いてしまうことを防止できる。また、シート材料が収容部および蓋部の表面に露呈することがなくなるため、本発明による記録ディスクホルダの見栄えをよくすることができる。
【００１５】
ここで、インデックスプリントを複数収容可能なプリント収容部および記録ディスクを収容する記録ディスク収容部が綴じられてなるアルバム冊子の場合、アルバム冊子を開いてインデックスプリントを見る機会が多いことから、記録ディスクが光に晒される機会が多い。
【００１６】
本発明のアルバム冊子においては、記録ディスク収容部を本発明による記録ディスクホルダからなるものとしたため、記録ディスクホルダに収容された記録ディスクには光が照射されないこととなり、その結果、記録ディスクの記録面の光による劣化を防止することができる。
【発明を実施するための最良の形態】
【００１７】
以下、図面を参照して本発明の実施形態について説明する。図１は本発明の実施形態による記録ディスクホルダの構成を示す斜視図である。図１に示すように、本実施形態による記録ディスクホルダ１は、ＣＤおよびＤＶＤ等の記録ディスク５を出し入れするための開口部４を有する、記録ディスク５を両面から挟持するようにして収容する収容部２と、開口部４を覆うための蓋部３とを備える。また、収容部２における開口部４の近傍には、蓋部３を収容部２に密着させるための帯部６が設けられている。
【００１８】
そして、蓋部３を開いて開口部４を記録ディスク５を収容部２に挿入することにより、本実施形態による記録ディスクホルダ１に記録ディスク５を収容できる。また、蓋部３を帯部６と収容部２との間に挿入することにより、蓋部３が容易に開いてしまうことを防止できる。
【００１９】
ここで、収容部２は、遮光材料を記録ディスク５のサイズに適合するように切断し、端部を縫い合わせたり、超音波溶接等により接合したりすることにより袋状に形成されている。なお、蓋部３も同様に形成されているが、蓋部３と収容部２とは一体に形成しても、蓋部３を後から収容部２に取付けるようにしてもよい。
【００２０】
図２は遮光材料の構成を示す断面図である。図２に示すように遮光材料１０は、２枚の不織布シート１１，１３の間に遮光シート１２が積層されてなる。なお、図２に示す遮光材料１０においては、不織布シート１１，１３およ遮光シート１２を密着させているが、必ずしも密着させる必要はないものである。
【００２１】
ここで、遮光シート１２としては、遮光性があって記録ディスクに有害な物質を含んでいなければ、どのような材料からなるものであってもよい。なお、具体的には、遮光性を有する材料を含有させたポリエステル、ポリエチレン等の合成樹脂フィルムを用いることができる。
【００２２】
このように、本実施形態によれば、記録ディスクホルダ１の収容部２および蓋部３を遮光材料からなるものとしたため、記録ディスクホルダ１に収容された記録ディスク５には光が照射されないこととなり、その結果、記録ディスクの記録面の光による劣化を防止することができる。
【００２３】
また、遮光材料１０を、２枚の不織布シート１１，１３の間に遮光シート１２を積層してなるものとすることにより、収容部２に収容された記録ディスク５の記録面に傷が付いてしまうことを防止できる。また、遮光シート１２が収容部２および蓋部３の表面に露呈することがなくなるため、記録ディスクホルダ１の見栄えをよくすることができる。
【００２４】
なお、上記実施形態においては、収容部２および蓋部３の双方を遮光材料からなるものとしているが、収容部２のみを遮光材料からなるものとしてもよい。
【００２５】
また、上記実施形態においては、蓋部３を設けているが、とくに蓋部３を設ける必要はない。
【００２６】
また、上記実施形態においては、遮光材料１０を２枚の不織布シート１１，１３および遮光シート１２の３層構造からなるものとしているが、図３に示すように、１枚の遮光シート１２および１枚の不織布シート１３の２層構造からなるものとしてもよい。この場合、不織布シート１３が内側を向くように収容部２を構成することにより、記録ディスク５の表面に傷が付くことを防止できる。
【００２７】
次いで、本発明のアルバム冊子の実施形態について説明する。図４は本発明の実施形態によるアルバム冊子の構成を示す図であり、（ａ）はアルバム冊子を綴じた状態を示す図、（ｂ）は後述するプリント収容部が現れるようにアルバム冊子を開いた状態を示す図、（ｃ）は記録ディスク収容部が現れるようにアルバム冊子を開いた状態を示す図である。図４に示すように本実施形態によるアルバム冊子２０は、複数のサムネイル画像を配置したインデックスプリントを複数収容可能なようにインデックスプリントに対応する矩形形状をなし、透明材料からなる袋状のプリント収容部２２、およびインデックスプリントに含まれる画像を記録したＣＤ、ＤＶＤ等の記録ディスクを収容する袋状の記録ディスク収容部２４が、厚紙からなる表紙２６に複数綴じられることにより構成されている。ここで、インデックスプリントは、プリント収容部２２の開口部２２Ａからプリント収容部２２に収容される。
【００２８】
なお、表紙２６には窓部２８が形成されており、ここに記録ディスクに記録された画像を代表する画像が収容されている。
【００２９】
記録ディスク収容部２４は、上述した本実施形態による記録ディスクホルダからなる。
【００３０】
ここで、インデックスプリントを複数収容可能なアルバム冊子においては、アルバム冊子を開いてインデックスプリントを見る機会が多いことから、インデックスプリントとともに綴じられている記録ディスクが光に晒される機会が多い。
【００３１】
本実施形態のアルバム冊子２０においては、記録ディスク収容部２４を本発明による記録ディスクホルダ１からなるものとしたため、記録ディスク収容部２４に収容された記録ディスクには光が照射されないこととなり、その結果、記録ディスクの記録面の光による劣化を防止することができる。
【図面の簡単な説明】
【００３２】
【図１】本発明の実施形態による記録ディスクホルダの構成を示す斜視図
【図２】遮光材料の構成を示す断面図
【図３】遮光材料の他の構成を示す断面図
【図４】本発明の実施形態によるアルバム冊子の構成を示す斜視図
【符号の説明】
【００３３】
１    記録ディスクホルダ
２    収容部
３    蓋部
４    開口部
５    記録ディスク
１１，１３    不織布シート
１２    遮光シート
２０    アルバム冊子
２２    プリント収容部
２４    記録ディスク収容部
２６    表紙
【図１】
2007297072.tif 000003
【図２】
2007297072.tif 000004
【図３】
2007297072.tif 000005
【図４】
2007297072.tif 000006